(57)【要約】【課題】後処理での画像処理において常に安定した処理を行なうことができる撮影装置を提供する。【解決手段】人物の顔画像と個人情報とを一緒にカード媒体に印刷することによりＩＤカードを発行するＩＤカード発行装置等において被撮影者である人物の顔画像を撮影する撮影装置において、被撮影者の少なくとも顔を含む画像あるいは顔写真を撮影し、この撮影した画像に対し顔の特定位置情報を取得するとともに、当該撮影した画像から顔画像を抽出し、この抽出した顔画像と上記取得した顔の特定位置情報とを対応させて保存する。【選択図】      図３
2006178649.tif 000002
【特許請求の範囲】
【請求項１】
被撮影者の少なくとも顔を含む画像あるいは顔写真を撮影する撮影手段と、
この撮影手段により撮影された画像を表示する表示手段と、
この表示手段により表示された画像に対して顔の特定位置情報を取得する特定位置情報取得手段と、
前記撮影手段により撮影された画像から顔画像を抽出し、この抽出した顔画像と前記特定位置情報取得手段により取得された特定位置情報とを対応させて保存する保存手段と、
を具備したことを特徴とする撮影装置。
【請求項２】
前記特定位置情報取得手段は、前記表示手段の画面に表示された顔画像の上をポインタデバイス等により指定することにより、その指定された位置座標を特定位置情報として取得することを特徴とする請求項１記載の撮影装置。
【請求項３】
前記特定位置情報は、前記保存手段に保持された画像に対し肌色を所望の色に補正する処理を実施することを目的に顔画像の基準となる肌色を抽出するための顔の特定位置情報であることを特徴とする請求項１または請求項２記載の撮影装置。
【請求項４】
前記特定位置情報は、顔の頬の位置情報であることを特徴とする請求項３記載の撮影装置。
【請求項５】
前記特定位置情報は、前記保存手段に保持された画像に対し顔画像を所望のサイズに変換する処理を実施することを目的に顔画像のフレーミングやトリミング等の基準となる顔の特定位置情報であることを特徴とする請求項１または請求項２記載の撮影装置。
【請求項６】
前記特定位置情報は、顔の眼と眼との中心位置情報であることを特徴とする請求項５記載の撮影装置。
【発明の詳細な説明】
【技術分野】
【０００１】
本発明は、たとえば、自動車の運転免許証（以後、単に免許証と称す）や各種証明書（カードタイプや冊子タイプを含む）など、人物の顔画像と個人情報とを一緒にカード媒体に印刷することによりＩＤカードを発行するＩＤカード発行装置において、被撮影者である人物の顔画像を撮影する撮影装置に関する。
【背景技術】
【０００２】
従来、この種の撮影装置において、後処理として撮影した画像の明るさや色補正、フレーミング処理等の画像加工を行なう場合に、画像認識処理による自動補正あるいは手動補正を行ないながら、画像処理を行なっている。  
【特許文献１】特開２０００−２５８８３２号公報
【特許文献２】特開２０００−１５６７７５号公報
【発明の開示】
【発明が解決しようとする課題】
【０００３】
顔画像の明るさや顔色を自動的に検出して、顔画像の明るさや顔色を補正した場合、背景や洋服等の影響を受けて、顔の明るさや顔色が適正に補正されないことがある。  
また、顔画像内の顔部分の明るさや顔色を自動的に検出して、顔画像の明るさを補正した場合、髪型、眼鏡、髪の毛の影、額や頬の光り方の影響を受けて、顔の明るさや顔色が補正されないことがある。
【０００４】
そこで、本発明は、後処理での画像処理において常に安定した処理を行なうことができる撮影装置を提供することを目的とする。
【課題を解決するための手段】
【０００５】
本発明の撮影装置は、被撮影者の少なくとも顔を含む画像あるいは顔写真を撮影する撮影手段と、この撮影手段により撮影された画像を表示する表示手段と、この表示手段により表示された画像に対して顔の特定位置情報を取得する特定位置情報取得手段と、前記撮影手段により撮影された画像から顔画像を抽出し、この抽出した顔画像と前記特定位置情報取得手段により取得された特定位置情報とを対応させて保存する保存手段とを具備している。
【発明の効果】
【０００６】
本発明によれば、証明写真用等のために顔画像を撮影する際、顔の特定位置情報を顔画像とともに保存することにより、後処理での画像処理において常に安定した処理を行なうことができる撮影装置を提供できる。
【発明を実施するための最良の形態】
【０００７】
以下、本発明の実施の形態について図面を参照して説明する。  
図１は、本実施の形態に係る撮影装置の外観構成を概略的に示すものである。この撮影装置は、被撮影者（人物）１を照明する照明器２、被撮影者１の少なくとも顔を含む画像を撮影して入力する撮影手段としてのＣＣＤ形のビデオカメラ３、撮影者（操作者）４に対し撮影状態やガイダンスなどを案内表示する表示手段としての表示器（モニタディスプレイ）５、撮影者４による操作指示により、カメラ３からの入カ画像を加工したり、表示器５や内蔵する記憶部などに対して出力を行なったりする制御手段としての制御台（制御部）６、被撮影者１が撮影の際に着座する椅子７、および、撮影の際に被撮影者１の背景となる背景板８から構成されている。  
なお、背景板８の色は、証明用写真の背景として好適な色（たとえば、青色）に設定されている。
【０００８】
図２は、図１に示した撮影装置の全体的な構成を示すブロック図である。すなわち、カメラ３からのアナログ信号（入力画像）をリアルタイムにデジタル信号に変換し、ビデオメモリやメインメモリなどに転送するビデオキャプチャ部１１、ビデオキャプチャ部１１の画像データ、および、その他の描画処理を行ない、表示器５への表示制御を行なうビデオアクセラレート部１２、画像データおよびその他への各種の演算処理や各種制御などを行なうＣＰＵ（セントラル・プロセッシング・ユニット）、画像データや演算結果などを一時保存するメインメモリ、各種周辺機器とのインタフェイスを備えたＣＰＵ部１３、各種周辺機器を接続する外部バス（たとえば、ＳＣＳＩなど）を制御する外部バス制御部１４、各種ＯＳやアプリケーション、制御用データ、画像データなどを保存する記憶手段としてのハードディスク装置などの大容量記憶装置１５、制御台６の出力データなどを保存する保存手段としての可搬性のある記憶媒体（たとえば、光磁気ディスクなど）１６に対してデータの読み書きを行なうリーダライタ部１７、撮影者４が操作する入力手段としてのキーボード１８やマウス１９などによって構成されている。
【０００９】
このような構成において、図３に示すフローチャートを参照して動作を説明する。なお、以下に説明する処理は、主にＣＰＵ部１３内のＣＰＵの制御によって実行されるものとする。
【００１０】
まず、ステップＳ１にて、ビデオキャプチャ部１１を介してカメラ３からの入力画像２１（図４を参照）を取込み、この取り込んだ画像をＣＰＵ部１３内のメインメモリに一時格納し、ステップＳ２に進む。ステップＳ２では、取込んだカメラ３からの入力画像２１を表示器５に表示する。ここに、ステップＳ１の処理が本発明における撮影手段に対応し、ステップＳ２の処理が本発明における表示手段に対応している。
【００１１】
ここで、撮影者４は、表示器５に表示された画像を確認し（ステップＳ３）、その後、たとえば、撮影された顔の基準となる明るさや肌色の位置、たとえば、図４に示す頬の位置２２をマウス１９によりクリックすることにより、そのクリックされた顔画像上の座標値（ｘ，ｙ）を特定位置情報として取得する（ステップＳ４〜Ｓ６）。ここに、ステップＳ４〜Ｓ６の処理が本発明における特定位置情報取得手段に対応している。
【００１２】
次に、ＣＰＵ部１３内のメインメモリに一時格納した入力画像２１から顔画像を抽出し、この抽出した顔画像と先に取得した座標値（ｘ，ｙ）とを対応させて記憶媒体１６に記録（保存）する（ステップＳ７）。ここに、ステップＳ７の処理が本発明における保存手段に対応している。
【００１３】
このようにして記憶媒体１６に記録した顔画像を、たとえば、ＩＤカードに印刷する際、適正な明るさ、顔色になるよう特定位置情報としての座標値（ｘ，ｙ）を中心とした矩形領域の画素の、たとえばＲ（赤），Ｇ（緑），Ｂ（青）データの平均値を算出し、好ましいとされる基準の顔画像の明るさ、顔色になるように明るさ、色補正を行なう。
【００１４】
また、別の例として、たとえば、顔画像をいろいろなサイズで印刷する場合の画像の切り出し処理について説明する。撮影された顔の基準位置、たとえば、眼と眼との中心位置をマウス１９によりクリックすることで、クリックされた画像上の座標値（ｘ，ｙ）を特定位置情報として取得し、顔画像を保存する際に上記座標値（ｘ，ｙ）を付与して保存する。
【００１５】
このようにして記憶媒体１６に記録した顔画像を、たとえば、ＩＤカードに印刷する際、所望のサイズにフレーミングやトリミングするように特定位置情報としての座標値（ｘ，ｙ）を中心とした矩形領域の切り出し処理や拡大、縮小処理を行なう。
【００１６】
上記のような画像処理は、顔画像に付与されている特定位置情報を利用するため、その都度、処理を行なうことが可能であり、撮影装置自身で実施しても、印刷装置側で実施してもよく、また、顔画像を再利用する場合においても有効である。
【００１７】
以上説明したように、上記実施の形態によれば、証明写真用等のために顔画像を撮影する際、顔の特定位置情報を顔画像とともに保存することにより、後処理での画像処理において、背景、髪型、洋服等の影響を受けずに常に安定した肌色補正等が可能となる。また、顔画像を再利用する場合においても、当該顔画像に付加された特定位置情報により安定した画像処理を実施することができる。
【００１８】
なお、前記実施の形態では、カメラを使用して直接人物の顔画像を撮影しているが、本発明はこれに限定されるものではなく、たとえば、ＩＤカード発行の申請書に貼り付けられた顔写真をスキャナ等で読取り、それを表示器に表示し、クリックされた画像上の座標値（ｘ，ｙ）を特定位置情報として取得し、顔画像を保存する際に上記座標値（ｘ，ｙ）を付与して保存するシステムにも適用できる。
【図面の簡単な説明】
【００１９】
【図１】本発明の実施の形態に係る撮影装置の外観構成を概略的に示す構成図。
【図２】図１に示した撮影装置の全体的な構成を示すブロック図。
【図３】動作を説明するためのフローチャート。
【図４】カメラからの入力画像と、その入力画像に対する特定位置情報の取得方法を説明するための図。
【符号の説明】
【００２０】
１…被撮影者（人物）、２…照明器、３…ビデオカメラ（撮影手段）、４…撮影者（操作者）、５…表示器（表示手段）、６…制御台（制御部）、１３…ＣＰＵ部、１６…記憶媒体（保存手段）、１７…リーダライタ部（保存手段）、１９…マウス、２１…入力画像、２２…頬の位置。
【図１】
2006178649.tif 000003
【図２】
2006178649.tif 000004
【図３】
2006178649.tif 000005
【図４】
2006178649.tif 000006